(57)【要約】【課題】表示モジュールにおいて、組み立て時のやり直し、修理時の液晶表示ユニットの取り外しを容易にし、液晶表示ユニットを破損することなく取り出すことができるような構造を提供することを目的とする。【解決手段】画像を表示する液晶表示ニット１２と、表示モジュールを構成する上ケース１１と、液晶表示ニットと上ケースとを組み付けるための両面接着テープ１３と、上ケースと両面接着テープとの間にあって、両面接着テープの長手方向に沿って配置した高強度の線材１４とを備えた表示モジュールであり、高強度の線材１４の端を作業者が引張ることによって、容易に両面接着テープ１３を上ケース１１から剥離でき、液晶表示ユニット１２に損傷を与えることなく取り外すことができる。【選択図】図１
2007286156.tif 000002
【特許請求の範囲】
【請求項１】
画像を表示する液晶表示ニットと、
表示モジュールを構成する上ケースと、
前記液晶表示ニットと前記上ケースとを組み付けるための両面接着テープと、
前記上ケースと前記両面接着テープとの間にあって、前記両面接着テープの長手方向に沿って配置した高強度の線材と、
を備えたことを特徴とする表示モジュール。
【請求項２】
画像を表示する液晶表示ニットと、
表示モジュールを構成する上ケースと、
前記液晶表示ニットと前記上ケースとを組み付けるために前記液晶表示ニット側に貼り付けられた両面接着テープａと、
前記液晶表示ニットと前記上ケースとを組み付けるために前記上ケース側に貼り付けられた両面接着テープｂと、
前記両面接着テープａと前記両面接着テープｂとの間にあって、前記両面接着テープａまたはｂの長手方向に沿って配置した高強度の線材と、
を備えたことを特徴とする表示モジュール。
【請求項３】
画像を表示する液晶表示ニットと、
表示モジュールを構成する上ケースと、
前記液晶表示ニットと前記上ケースとを組み付けるために前記液晶表示ニット側に貼り付けられた両面接着テープａと、
前記液晶表示ニットと前記上ケースとを組み付けるために前記上ケース側に貼り付けられた両面接着テープｂと、
前記両面接着テープａと前記両面接着テープｂとの間にあって、前記両面接着テープａまたはｂよりも外形の大きいシートと、
を備えたことを特徴とする表示モジュール。
【発明の詳細な説明】
【技術分野】
【０００１】
本発明は、情報処理装置の液晶表示部の表示モジュールに関するものである。
【背景技術】
【０００２】
近年、情報処理装置の小型・軽量化、薄型化が進み、特に液晶表示部分についは、構造体の削減、複合化がなされている
以下に従来の表示モジュールについて説明する。
【０００３】
従来、表示モジュールは特許文献１に記載されたものが知られている。その表示モジュールを図５に示す。
【０００４】
図５は従来の表示モジュールの主要部の断面図である。
【０００５】
図５において、１は外筐体、２は上筐体で、３はフック部、４はスペーサ、５は両面接着テープ、６は画像を表示する液晶表示ユニットであり、上から偏光板、ガラス基材、液晶（表示せず）、ガラス基材、偏光板、反射板で構成されている。
【０００６】
以上のように構成された従来の表示モジュールについて、その動作について説明する。
【０００７】
弾性変形可能なフック部３を設け、筐体内に収納した状態ではフック部３に係合され、フック部３近傍のスペーサ４−１とフック部３から遠方のスペーサ４−２に配置した両面接着テープ５により載置された状態で姿勢が水平となる。また、表示モジュールを取り外す際は、弾性変形可能なフック部４を変形させて、フック部４の係合を解除し、治具等によって持ち上げることで容易に取り外すことができる。
【特許文献１】特開２０００−３５２９３８号公報
【発明の開示】
【発明が解決しようとする課題】
【０００８】
しかしながら上記の従来の構成では、内部の液晶表示ユニットと外部筐体の二重の構成になり、重量、コストの面において無駄が多い。また、それを解決するため複合化による内部のユニットと外部筐体とをモジュール化するのに、液晶表示ユニットのガラス部と外部筐体とを直接の貼り付けるには、組立作業のやり直し、修理時の取り外し時に弾性変形するフック部３が破損し易いという課題を有していた。
【０００９】
本発明は、上記従来の課題を解決するもので、組み立て作業時のやり直し、修理時の液晶表示ユニットの取り外しを容易にし、液晶表示ユニットを破損させない構造を提供することを目的とする。
【課題を解決するための手段】
【００１０】
上記従来の課題を解決するために、本発明の請求項１に記載の発明は、
画像を表示する液晶表示ニットと、
表示モジュールを構成する上ケースと、
前記液晶表示ニットと前記上ケースとを組み付けるための両面接着テープと、
前記上ケースと前記両面接着テープとの間にあって、前記両面接着テープの長手方向に沿って配置した高強度の線材と、
を備えたことを特徴とする表示モジュール
としたものであり、表示モジュールの組み立て作業時のやり直し、修理時の液晶表示ユニットの取り外しを容易にし、液晶表示ユニットを破損させないという作用を有する。
【００１１】
請求項２に記載の発明は、
画像を表示する液晶表示ニットと、
表示モジュールを構成する上ケースと、
前記液晶表示ニットと前記上ケースとを組み付けるために前記液晶表示ニット側に貼り付けられた両面接着テープａと、
前記液晶表示ニットと前記上ケースとを組み付けるために前記上ケース側に貼り付けられた両面接着テープｂと、
前記両面接着テープａと前記両面接着テープｂとの間にあって、前記両面接着テープａまたはｂの長手方向に沿って配置した高強度の線材と、
を備えたことを特徴とする表示モジュール
としたものであり、表示モジュールの組み立て作業時のやり直し、修理時の液晶表示ユニットの取り外しを容易にし、液晶表示ユニットを破損させないという作用を有する。
【００１２】
請求項３に記載の発明は、
画像を表示する液晶表示ニットと、
表示モジュールを構成する上ケースと、
前記液晶表示ニットと前記上ケースとを組み付けるために前記液晶表示ニット側に貼り付けられた両面接着テープａと、
前記液晶表示ニットと前記上ケースとを組み付けるために前記上ケース側に貼り付けられた両面接着テープｂと、
前記両面接着テープａと前記両面接着テープｂとの間にあって、前記両面接着テープａまたはｂよりも外形の大きいシートと、
を備えたことを特徴とする表示モジュール
としたものであり、表示モジュールの組み立て作業時のやり直し、修理時の液晶表示ユニットの取り外しを容易にし、液晶表示ユニットを破損させないという作用を有する。
【発明の効果】
【００１３】
以上のように本発明の表示モジュールによれば、組み立て作業のやり直し、修理時の取り外しを容易にし、液晶表示ユニットを破損させないという優れた効果が得られる。
【発明を実施するための最良の形態】
【００１４】
以下、本発明を実施するための最良の形態について、図面を参照しながら説明する。
【００１５】
（実施の形態１）
図１は本発明の実施の形態１における表示モジュールの構成概略図、図２は本発明の実施の形態１における発明の詳細を拡大して示した図であり、図２は図１の点線で囲んだ部分を拡大して示している。
【００１６】
図１ならびに図２において、１０は表示モジュール、１１は上ケース、１２は画像を表示する液晶表示ユニット、１３は両面接着テープ、１４は高強度の線材、１６は液晶表示ユニット１２の表示面側である。
【００１７】
以上のように構成された表示モジュールについて、以下その動作を説明する。
表示モジュール１０を構成する上ケース１１に対し、液晶表示ユニット１２を組み付ける際の保持、補強のために、液晶表示ユニット１２に両面接着テープ１３を貼り、その上に高強度の線材１４を配置し、上ケース１１に貼り付けるようにしたものである。
【００１８】
以上のように本発明の実施の形態１によれば、液晶表示ユニット１２を取外して修理を行う際に両面接着テープ１３を剥離しなければならないが、高強度の線材１４の端を作業者が引張ることによって、容易に両面接着テープ１３を上ケース１１から剥離でき、液晶表示ユニット１２に損傷を与えることなく取り外すことができる。
【００１９】
（実施の形態２）
図３は本発明の実施の形態２における図１の点線で囲んだ部分について発明の詳細を拡大して示した図である。
【００２０】
図３において、１３ａ、と１３ｂは両面接着テープ、図中の符号の説明で図２と同じものは説明を省略する。
【００２１】
以上のように構成された表示モジュールについて、以下その動作を説明する。
表示モジュール１０を構成する上ケース１１に対し、液晶表示ユニット１２を組み付ける際の保持、補強のために、上ケース１１側に両面接着テープ１３ａ、また、液晶表示ユニット１２に両面接着テープ１３ｂを貼り、両面接着テープ１３ｂを貼った液晶表示ユニット１２の上に高強度の線材１４を配置し、上ケース１１と貼り合わせるようにしたものである。
【００２２】
以上のように本発明の実施の形態２によれば、液晶表示ユニット１２を取外して修理を行う際に両面接着テープ１３ａ、１３ｂを剥離しなければならないが、高強度の線材１４の端を作業者が引張ることによって、高強度の線材１４が両面接着テープ１３ａ、１３ｂの間を通っているために、両側の粘着面を容易に分離することができる。このように液晶表示ユニット１２は上ケース１１から容易に取り外すことができ、その際、液晶表示ユニット１２に損傷を与えることなく取り外すことができる。
【００２３】
（実施の形態３）
図４は本発明の実施の形態３における図１の点線で囲んだ部分について発明の詳細を示した図である。
【００２４】
図４において、１５は両面接着テープよりも外形の大きいシートである。
【００２５】
以上のように構成された表示モジュールについて、以下その動作を説明する。
【００２６】
表示モジュール１０を構成する上ケース１１に対し、液晶表示ユニット１２を組み付ける際の保持、補強のために、上ケース１１側に両面接着テープ１３ａ、また、液晶表示ユニット１２に両面接着テープ１３ｂを貼り、両面接着テープ１３ｂを貼った液晶表示ユニット１２の上に両面粘着テープ１３ａ、１３ｂよりも外形の大きいシートを配置し、上ケース１１に貼り付けるようにしたものである。
【００２７】
以上のように本発明の実施の形態３によれば、表示モジュール１２を取外して修理を行う際に両面接着テープ１３ａ、１３ｂを剥離しなければならないが、シート１５の端部１５ａを作業者が引き上げることによって、シート１５が容易に両面接着テープ１３ａ、１３ｂの間で剥離方向に力が加わり、シート１５を介して貼り合わせた両側の両面接着テープ１３ａ、１３ｂを分離する。このようにして、液晶表示ユニット１２は上ケース１１から容易に取り外すことができ、その際、液晶表示ユニットに損傷を与えることなく取り外すことができる。
【００２８】
また、表示モジュール１２の取り外し作業において、工具を差し込むなどの空間が確保できる場合には剥離の作業性が向上するという作用を有する。
【００２９】
また、本実施の本発明の実施の形態３において、シート１５を単一構成の材質としたが、線材を入れた複合部品としても良い。
【産業上の利用可能性】
【００３０】
本発明にかかる表示モジュールは、組み立てのやり直し、修理時の液晶表示ユニットの取り外しを容易にし、液晶表示ユニットを破損させないという優れた効果を有し、情報処理装置の液晶表示部の表示モジュール等として有用である。
【図面の簡単な説明】
【００３１】
【図１】本発明の実施の形態１における表示モジュールの構成概略図
【図２】本発明の実施の形態１における発明の詳細を拡大して示した図
【図３】本発明の実施の形態２における発明の詳細を拡大して示した図
【図４】本発明の実施の形態３における発明の詳細を拡大して示した図
【図５】従来の表示モジュールの主要部の断面図
【符号の説明】
【００３２】
１  外筐体
２  上筐体
３  フック部
４  スペーサ
５  両面接着テープ
６、１２  液晶表示ユニット
１０  表示モジュール
１１  上ケース
１３、１３ａ、１３ｂ  両面接着テープ
１４  高強度の線材
１５  両面接着テープよりも外形の大きいシート
１６  液晶表示ユニットの表示面側
【図１】
2007286156.tif 000003
【図２】
2007286156.tif 000004
【図３】
2007286156.tif 000005
【図４】
2007286156.tif 000006
【図５】
2007286156.tif 000007